(57)【要約】      （修正有）【課題】全熱交換器を備えた換気装置の強制換気運転時の消費電力量を低減する。【解決手段】全熱交換器ユニット1は、任意換気運転を停止する停止信号を受けると、任意換気運転を終了させて該任意換気運転よりも少ない換気量で且つ所定の必要換気量以上の換気量で強制換気する強制換気運転を開始させ、任意換気運転を開始する開始信号を受けると、強制換気運転を終了させて任意換気運転を開始させる制御コントローラ2を備えている。制御コントローラ2は、強制換気運転時に給気ファン20及び排気ファン21を間欠的に動作させるように構成されている。【選択図】図１
2010025539.tif 000002
【特許請求の範囲】
【請求項１】
屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置であって、
上記換気運転は、任意に換気を行うための任意換気運転と、該任意換気運転よりも少ない換気量で且つ所定の必要換気量以上の換気量で上記居室を強制換気する強制換気運転とを有する一方、
上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）を備え、
該制御部（2）は、上記強制換気運転時に上記両ファン（20，21）を間欠的に動作させる間欠制御が可能に構成されている
ことを特徴とする換気装置。
【請求項２】
請求項１において、
上記両ファン（20，21）は風量可変に構成され、
上記制御部（2）は、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されている
ことを特徴とする換気装置。
【請求項３】
請求項２において、
上記全熱交換器（22）の供給空気の入口温度Ｔ１を検知する給気側温度検知部（3）と、上記全熱交換器（22）の排出空気の入口温度Ｔ２を検知する排気側温度検知部（4）とを備え、
上記制御部（2）は、上記給気側温度検知部（3）の検出値が所定値Ｔｓｅｔ以上であって給気側温度検知部（3）の検出値が排気側温度検知部（4）の検出値よりも小さい場合には第２動作に設定し、上記給気側温度検知部（3）の検出値が所定値Ｔｓｅｔ以上であって給気側温度検知部（3）の検出値が排気側温度検知部（4）の検出値以上の場合には第１動作に設定するように構成されている
ことを特徴とする換気装置。
【請求項４】
請求項２において、
上記全熱交換器（22）の供給空気の入口温度Ｔ１を検知する給気側温度検知部（3）と、上記全熱交換器（22）の排出空気の入口温度Ｔ２を検知する排気側温度検知部（4）とを備え、
上記制御部（2）は、上記給気側温度検知部（3）の検出値が所定値Ｔｓｅｔよりも小さい場合であって給気側温度検知部（3）の検出値が排気側温度検知部（4）の検出値以下の場合には第１動作に設定し、上記給気側温度検知部（3）の検出値が所定値Ｔｓｅｔよりも小さい場合であって給気側温度検知部（3）の検出値が排気側温度検知部（4）の検出値より大きい場合には第２動作に設定するように構成されている
ことを特徴とする換気装置。
【請求項５】
請求項２において、
上記居室内の温度が冷房設定温度となるように居室内を冷房する冷房機構（5）を備え、
上記制御部（2）は、上記給気側温度検知部（3）で検知した供給空気の入口温度Ｔ１が上記冷房設定温度以上の場合には第１動作に設定し、上記供給空気の入口温度Ｔ１が上記冷房設定温度よりも小さい場合には第２動作に設定するように構成されている
ことを特徴とする換気装置。
【請求項６】
請求項２において、
上記居室内の温度が暖房設定温度となるように居室内を暖房する暖房機構（6）を備え、
上記制御部（2）は、上記給気側温度検知部（3）で検知した供給空気の入口温度Ｔ１が上記暖房設定温度以下の場合には第１動作に設定し、上記供給空気の入口温度Ｔ１が上記暖房設定温度より大きい場合には第２動作に設定するように構成されている
ことを特徴とする換気装置。
【請求項７】
請求項１から６の何れか１つにおいて、
上記制御部（2）は、上記強制換気運転時における各ファン（20，21）の間欠運転時間に占める駆動時間及び停止時間の割合が変更可能に構成されている
ことを特徴とする換気装置。
【請求項８】
請求項５において、
上記冷房機構（5）の運転が停止すると上記冷房機構（5）から上記制御部（2）へ停止信号が出力され、上記冷房機構（5）の運転が開始すると上記冷房機構（5）から上記制御部（2）へ開始信号が出力されるように、上記冷房機構（5）と上記制御部（2）とが電気的に接続されている
ことを特徴とする換気装置。
【請求項９】
請求項６において、
上記暖房機構（6）の運転が停止すると上記暖房機構（6）から上記制御部（2）へ停止信号が出力され、上記暖房機構（6）の運転が開始すると上記暖房機構（6）から上記制御部（2）へ開始信号が出力されるように、上記暖房機構（6）と上記制御部（2）とが電気的に接続されている
ことを特徴とする換気装置。
【請求項１０】
請求項１から９の何れか１つにおいて、
使用者が操作する操作部（34）を備え、
上記操作部（34）から上記制御部（2）に向かって上記停止信号及び上記開始信号が出力されるように、上記操作部（34）と上記制御部（2）とが電気的に接続されている
ことを特徴とする換気装置。
【発明の詳細な説明】
【技術分野】
【０００１】
本発明は、居室内を換気する換気装置に関し、特に、強制換気運転を行う換気装置に係るものである。
【背景技術】
【０００２】
従来より、居室内の換気を行う換気装置が知られている。そして、この換気装置には、近年の改正の日本建築基準法に基づいて居室内を換気する２４時間の強制換気運転を行うものがある（例えば、特許文献１参照）。
【０００３】
特許文献１の換気装置は、住宅設備の制御装置としてのホームサーバの運転指令に基づいて、換気運転を行うことが可能に構成されている。このホームサーバには、シックハウス物質を検知するセンサが接続されている。そのセンサが居室内のシックハウス物質を検知すると、ホームサーバは換気装置に換気動作を行わせる。そして、居室内のシックハウス物質の検知量が閾値以下になるとその換気動作を停止させる。また、換気装置に電気的に接続されたリモコンによっても換気動作の開始及び停止をすることができる。このような換気動作が任意換気運転（通常換気運転）を構成する。
【０００４】
また、上記ホームサーバは、上述した法律で定められた換気回数で換気動作が行われたか否かを判定する。尚、換気回数とは、換気装置の有効換気量を居室内の容積で除した値をいう。そして、その定められた換気回数で換気動作が行われていなければ、シックハウス物質が検出されなくても強制的に換気動作を行わせる。この換気動作が強制換気運転（２４時間換気運転）を構成する。このように、従来の換気装置は、上記強制換気運転を行うことにより、任意換気運転が行われない場合でも法定の換気回数を確保することができる。
【０００５】
一方、この換気装置に全熱交換器を設けたものがある。この全熱交換器は、屋外から居室内に供給される供給空気と居室内から屋外へ排出される排出空気とを熱交換するように構成されている。この全熱交換器により、供給空気の温度を排出空気の温度（居室内の温度）に近づけてから、該供給空気を居室内に供給することができる。これにより、全熱交換器を用いずに屋外の空気をそのまま居室内に供給する場合に比べて居室内の空調負荷を低減することができる。
【先行技術文献】
【特許文献】
【０００６】
【特許文献１】特開２００５−３３７６４７号公報
【発明の概要】
【発明が解決しようとする課題】
【０００７】
しかしながら、従来の換気装置において、強制換気運転における送風ファンの消費電力量に関して何ら考慮されていない。このため、換気装置の省エネルギ性が低下してしまうという問題がある。
【０００８】
本発明は、かかる点に鑑みてなされたものであり、その目的は、全熱交換器を備えた換気装置において、強制換気運転時の消費電力量を低減することにある。
【課題を解決するための手段】
【０００９】
第１の発明は、屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置を前提としている。
【００１０】
そして、上記換気装置の換気運転は、任意に換気を行うための任意換気運転と、該任意換気運転よりも少ない換気量で且つ所定の必要換気量以上の換気量で上記居室を強制換気する強制換気運転とを有している。更に、上記換気装置は、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）を備えている。加えて、上記制御部（2）は、上記強制換気運転時に上記両ファン（20，21）を間欠的に動作させる間欠制御が可能に構成されている。
【００１１】
上記第１の発明では、上記給気ファン（20）及び上記排気ファン（21）を間欠的に運転することにより、インバータ等の換気量調整手段を用いずに、強制換気運転時における居室内の換気量を通常の換気運転よりも少なくすることができる。
【００１２】
第２の発明は、第１の発明において、上記両ファン（20，21）が風量可変に構成されている。更に、上記制御部（2）は、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されている。
【００１３】
第２の発明では、強制換気運転時において、単位時間あたりの換気量を変えずに、両方のファン（20，21）を連続的又は間欠的に動作させることができる。これにより、全熱交換器（22）の温度交換効率を変化させることができる。つまり、これらのファン（20，21）を間欠運転させた場合の換気量と連続運転させた場合の換気量とが等しいとすると、上記全熱交換器（22）内を流れる供給空気及び排出空気の流速は、間欠運転させた場合の方が速い。したがって、供給空気及び排出空気の流速が速い分だけ、全熱交換器（22）の温度交換効率が低くすることができる。
【００１４】
尚、単位時間あたりの換気量を、居室に対して必要な換気量（例えば、日本の法律で定められた換気量）に設定すれば、強制換気運転時における両方のファン（20，21）の消費電力を必要最小限に抑えることが可能である。
【００１５】
第３の発明は、第２の発明において、上記全熱交換器（22）の供給空気の入口温度Ｔ１を検知する給気側温度検知部（3）と、上記全熱交換器（22）の排出空気の入口温度Ｔ２を検知する排気側温度検知部（4）とを備えている。そして、上記制御部（2）は、上記給気側温度検知部（3）の検出値が所定値Ｔｓｅｔ以上であって給気側温度検知部（3）の検出値が排気側温度検知部（4）の検出値よりも小さい場合には第２動作に設定し、上記給気側温度検知部（3）の検出値が所定値Ｔｓｅｔ以上であって給気側温度検知部（3）の検出値が排気側温度検知部（4）の検出値以上の場合には第１動作に設定するように構成されている。
【００１６】
第３の発明では、上記給気側温度検知部（3）及び上記排気側温度検知部（4）の検出値に基づいて、強制換気運転を第１動作及び第２動作で行わせることができる。ここで、所定値とは屋外の季節を判定するための値であり、例えば、この所定値を１９℃に設定したとすれば、供給空気の入口温度が１９℃以上であれば夏期と判定する。
【００１７】
そして、夏期と判定した場合、供給空気の入口温度Ｔ１が排出空気の入口温度Ｔ２よりも低いときには、供給空気の空気温度をできるだけ全熱交換器（22）で高くせずに、その空気を居室内に吹き出させた方がよい。したがって、この場合には、上記各ファン（20，21）を間欠運転させる。こうすると、上述したように全熱交換器（22）の温度交換効率が低くなるので、供給空気の空気温度をできるだけ全熱交換器（22）で高くせずに、その空気を居室内に吹き出させることができる。
【００１８】
逆に、供給空気の入口温度Ｔ１が排出空気の入口温度Ｔ２以上のときには、供給空気の空気温度をできるだけ全熱交換器（22）で低くしてから、その空気を居室内に吹き出させたほうがよい。したがって、この場合には、上記各ファン（20，21）を連続運転させる。こうすると、上述したように全熱交換器（22）の温度交換効率が高くなるので、供給空気の空気温度をできるだけ全熱交換器（22）で高くした後で、その空気を居室内に吹き出させることができる。
【００１９】
第４の発明は、第２の発明において、上記全熱交換器（22）の供給空気の入口温度Ｔ１を検知する給気側温度検知部（3）と、上記全熱交換器（22）の排出空気の入口温度Ｔ２を検知する排気側温度検知部（4）とを備えている。そして、上記制御部（2）は、上記給気側温度検知部（3）の検出値が所定値Ｔｓｅｔよりも小さい場合であって給気側温度検知部（3）の検出値が排気側温度検知部（4）の検出値以下の場合には第１動作に設定し、上記給気側温度検知部（3）の検出値が所定値Ｔｓｅｔよりも小さい場合であって給気側温度検知部（3）の検出値が排気側温度検知部（4）の検出値より大きい場合には第２動作に設定するように構成されている。
【００２０】
第４の発明では、上記給気側温度検知部（3）及び上記排気側温度検知部（4）の検出値に基づいて、強制換気運転を第１動作及び第２動作で行わせることができる。ここで、所定値とは屋外の季節を判定するための値であり、例えば、この所定値を１９℃に設定したとすれば、供給空気の入口温度が１９℃よりも低ければ冬期と判定する。
【００２１】
そして、冬期と判定した場合には、夏期とは逆に、供給空気の入口温度Ｔ１が排出空気の入口温度Ｔ２以下の場合には、供給空気の温度をできるだけ全熱交換器（22）で高くしてから、その空気を居室内に吹き出させた方がよい。したがって、この場合には、上記各ファン（20，21）を連続運転させる。こうすると、上述したように全熱交換器（22）の温度交換効率が高くなるので、供給空気の空気温度をできるだけ全熱交換器（22）で高くした後で、その空気を居室内に吹き出させることができる。
【００２２】
また、供給空気の入口温度Ｔ１が排出空気の入口温度Ｔ２よりも大きい場合には、供給空気の温度をできるだけ全熱交換器（22）で低くせずに、その空気を居室内に吹き出させたほうがよい。したがって、この場合には、上記各ファン（20，21）を間欠運転させる。こうすると、上述したように全熱交換器（22）の温度交換効率が低くくなるので、供給空気の空気温度をできるだけ全熱交換器（22）で低くせずに、その空気を居室内に吹き出させることができる。
【００２３】
第５の発明は、第２の発明において、上記居室内の温度が冷房設定温度となるように居室内を冷房する冷房機構（5）を備えている。そして、上記制御部（2）は、上記給気側温度検知部（3）で検知した供給空気の入口温度Ｔ１が上記冷房設定温度以上の場合には第１動作に設定し、上記供給空気の入口温度Ｔ１が上記冷房設定温度よりも小さい場合には第２動作に設定するように構成されている。
【００２４】
第５の発明では、居室内に設置した冷房機構（5）の冷房設定温度と給気側温度検知部（3）の検出値から屋外の季節を判定して、強制換気運転時を第１動作及び第２動作で行わせることができる。
【００２５】
第６の発明は、第２の発明において、上記居室内の温度が暖房設定温度となるように居室内を暖房する暖房機構（6）を備えている。そして、上記制御部（2）は、上記給気側温度検知部（3）で検知した供給空気の入口温度Ｔ１が上記暖房設定温度以下の場合には第１動作に設定し、上記供給空気の入口温度Ｔ１が上記暖房設定温度より大きい場合には第２動作に設定するように構成されている。
【００２６】
第６の発明では、居室内に設置した暖房手段（6）の暖房設定温度と給気側温度検知部（3）の検出値から屋外の季節を判定して、強制換気運転時を第１動作及び第２動作で行わせることができる。
【００２７】
第７の発明は、第１から第６の何れか１つの発明において、上記制御部（2）は、上記強制換気運転時における各ファン（20，21）の間欠運転時間に占める駆動時間及び停止時間の割合が変更可能に構成されたものである。
【００２８】
第７の発明では、強制換気運転における居室内の換気量を自在に設定することができる。つまり、これらファン（20，21）の間欠運転時間において、駆動時間の占める割合を大きくすると、居室内の換気量を多くすることができる。逆に、停止時間の占める割合が大きくすると、居室内の換気量を少なくすることができる。
【００２９】
第８の発明は、第５の発明において、上記冷房機構（5）の運転が停止すると上記冷房機構（5）から上記制御部（2）へ停止信号が出力され、上記冷房機構（5）の運転が開始すると上記冷房機構（5）から上記制御部（2）へ開始信号が出力されるように、上記冷房機構（5）と上記制御部（2）とが電気的に接続されたものである。
【００３０】
第８の発明では、上記冷房機構（5）の運転に連動して換気装置を運転することができる。
【００３１】
第９の発明は、第６の発明において、上記暖房機構（6）の運転が停止すると上記暖房機構（6）から上記制御部（2）へ停止信号が出力され、上記暖房機構（6）の運転が開始すると上記暖房機構（6）から上記制御部（2）へ開始信号が出力されるように、上記暖房機構（6）と上記制御部（2）とが電気的に接続されたものである。
【００３２】
第９の発明では、上記暖房機構（6）の運転に連動して換気装置を運転することができる。
【００３３】
第１０の発明は、第１から第９の何れか１つの発明において、使用者が操作する操作部（34）を備えている。そして、上記操作部（34）から上記制御部（2）に向かって上記停止信号及び上記開始信号が出力されるように、上記操作部（34）と上記制御部（2）とが電気的に接続されている。
【００３４】
第１０の発明では、使用者が操作する操作部（34）により、換気装置を運転することができる。
【発明の効果】
【００３５】
本発明によれば、上記給気ファン（20）及び上記排気ファン（21）を間欠的に運転することにより、インバータ等の換気量調整手段を用いずに、強制換気運転時における居室内の換気量を通常の換気運転よりも少なくすることができる。これにより、強制換気運転時における換気装置の電力消費量を従来よりも低く抑えることができる。
【００３６】
また、上記第２の発明によれば、強制換気運転時において、単位時間あたりの換気量を変えずに、両方のファン（20，21）を連続的又は間欠的に動作させることができる。これにより、全熱交換器（22）の温度交換効率を変化させることができ、居室内に供給される空気の温度を可能な限りコントロールすることができる。
【００３７】
また、上記第３、４の発明によれば、上記給気側温度検知部（3）及び上記排気側温度検知部（4）の検出値に基づいて、強制換気運転を第１動作又は第２動作で行わせることができる。これにより、居室内に供給される供給空気の温度を可能な限りコントロールすることができる。
【００３８】
また、上記第５の発明によれば、居室内に設置した冷房機構（5）の冷房設定温度と給気側温度検知部（3）の検出値から屋外の季節を判定して、強制換気運転時を第１動作及び第２動作で行わせることができる。これにより、冷房機構（5）と連動して換気装置を運転することができる。
【００３９】
また、上記第６の発明によれば、居室内に設置した暖房機構（6）の暖房設定温度と給気側温度検知部（3）の検出値から屋外の季節を判定して、強制換気運転時を第１動作及び第２動作で行わせることができる。これにより、暖房機構（6）と連動して換気装置を運転することができる。
【００４０】
また、上記第７の発明によれば、強制換気運転における居室内の換気量を自在に設定することができる。このことから、例えば、改正の日本建築基準法で定められた基準に基づいて、居室内の換気量を設定することができる。これより、上記換気装置に対して無駄のない換気量を設定することができ、強制換気運転時の運転電力量を適切に抑えることができる。
【００４１】
また、上記第８の発明によれば、上記冷房機構（5）の運転に連動して換気装置を運転することができる。これにより、上記冷房機構（5）の運転が停止した後に強制換気運転を行うことができる。
【００４２】
また、上記第９の発明によれば、上記暖房機構（6）の運転に連動して換気装置を運転することができる。これにより、上記暖房機構（6）の運転が停止した後に強制換気運転を行うことができる。
【００４３】
また、上記第１０の発明によれば、使用者が操作する操作部（34）により、換気装置を運転することができる。これにより、使用者が換気装置を停止させて、居室内からいなくなった後に、強制換気運転を行うことができる。
【図面の簡単な説明】
【００４４】
【図１】図１は、本実施形態に係る換気装置の外形図である。
【図２】図２は、本実施形態に係る換気装置の設置図である。
【図３】図３は、本実施形態に係る換気装置の設定ポジション番号と換気サイクルの対応表である。
【図４】図４は、本実施形態の変形例２に係る換気装置及び空調機の設置図である。
【図５】図５は、本実施形態に係る換気装置の強制換気運転において、各ファンが連続運転又は間欠運転に設定された場合におけるファン風量及び起動時間の関係を示すグラフである。
【図６】図６は、本実施形態の変形例１に係る換気装置における強制換気運転時のフローチャートである。
【図７】図７は、本実施形態の変形例２に係る換気装置における強制換気運転時のフローチャートである。
【発明を実施するための形態】
【００４５】
以下、本発明の実施形態を図面に基づいて詳細に説明する。
【００４６】
〈実施形態〉
図１及び図２に示すように、本実施形態の換気装置（1）は、天井埋込ダクト形の全熱交換器ユニットである。なお、以下の説明で用いる「右」「左」「上」「下」「手前」「奥」という語句の意味は、特にことわらない限り、いずれも図１に示す状態の意味である。
【００４７】
図１に示すように、この全熱交換器ユニット（1）は、横長で扁平な直方体状のケーシング（10）を備えている。上記ケーシング（10）の右側板（11）には、外気吸込ダクト接続部（13）と排気ダクト接続部（14）とが１つずつ設けられている。この右側板（11）において、外気吸込ダクト接続部（13）は奥側に配置され、排気ダクト接続部（14）は手前側に配置されている。
【００４８】
一方、上記ケーシング（10）の左側板（12）には、内気吸込ダクト接続部（15）と給気ダクト接続部（16）とが設けられている。この左側板（12）において、内気吸込ダクト接続部（15）は手前側に配置され、給気ダクト接続部（16）は奥側に配置されている。
【００４９】
上記ケーシング（10）の内部空間は、図示しないが、給気側通路と排気側通路とに仕切られている。この給気側通路は、外気吸込ダクト接続部（13）及び給気ダクト接続部（16）の開口部と連通している。上記排気側通路は、内気吸込ダクト接続部（15）及び排気ダクト接続部（14）の開口部と連通している。そして、上記給気側通路には給気ファン（20）が設けられ、上記排気側通路には排気ファン（21）が設けられている。
【００５０】
これらのファン（20，21）は、いずれもいわゆるシロッコファンであるファン本体と、これを駆動するファンモータとによって構成されている。上記ファンモータは、その回転数を段階的に変更するための回転数切換機構が設けられ、この回転数切換機構により、ファンの回転速度を調整することができる。本実施形態では、上記ファンモータの回転数を３段階に変更できる。
【００５１】
上記ケーシング（10）の内部空間には、上記給気側通路と排気側通路とに跨って、全熱交換器（22）が設けられている。この全熱交換器（22）は、端面が正方形となった四角柱状に形成され、全熱交換器（22）では、平板部材（図示なし）と波板部材（図示なし）とがその長手方向へ交互に配置されている。この全熱交換器（22）は、屋外の空気を流すための給気流路と、居室内の空気を流すための排気流路とが、平板部材を挟んで交互に形成され、給気流路の伸長方向と排気流路の伸長方向が互いに直交する直交流型の熱交換器を構成している。尚、上記給気流路は上記給気側通路に連通し、上記排気流路は上記排気側通路に連通している。
【００５２】
また、上記全熱交換器（22）の平板部材は、例えば紙などの透湿性の材料で構成されている。全熱交換器（22）では、給気流路を流れる屋外の空気と排気流路を流れる居室内の空気のうちの一方から他方へ熱と水分が移動する。つまり、全熱交換器（22）では、湿り空気同士の間でエンタルピが交換されるようになっている。
【００５３】
上記ケーシング（10）の手前側の側板には、制御ボックス（23）が取り付けられている。該制御ボックス（23）内には上記給気ファン（20）及び上記排気ファン（21）の運転を制御するための制御部であるコントローラ（2）が収納されている。尚、この制御コントローラ（2）で制御される運転の中には、本発明の特徴である強制換気運転も含まれる。この強制換気運転の詳細は後述する。
【００５４】
図２に示すように、上記全熱交換器ユニット（1）は居室の天井裏に設置されている。天井には、給気口を有する給気グリル（30）と排気口を有する排気グリル（31）とが設けられている。上記給気グリル（30）には第１給気ダクト（40）の一端が接続され、他端は上記全熱交換器ユニット（1）の給気ダクト接続部（16）が接続されている。上記排気グリル（31）には第１排気ダクト（42）の一端が接続され、他端は上記全熱交換器ユニット（1）の内気吸込ダクト接続部（15）に接続されている。
【００５５】
また、居室と屋外とを仕切る壁体には給気用丸型フード（32）と排気用丸型フード（33）とが設けられている。上記各丸型フード（32，33）は通気口を有している。上記給気用丸型フード（32）には第２給気ダクト（41）の一端が接続され、他端は上記全熱交換器ユニット（1）の外気吸込ダクト接続部（13）に接続されている。上記排気用丸型フード（33）には第２排気ダクト（43）の一端が接続され、他端は上記全熱交換器ユニット（1）の排気ダクト接続部（14）に接続されている。
【００５６】
居室内には操作部であるリモコン（34）が設置されている。該リモコン（34）は、使用者が全熱交換器ユニット（1）を操作するために用いるものであり、上記制御ボックス（23）の制御コントローラ（2）と電気配線で接続されている。
【００５７】
上記リモコン（34）は、全熱交換器ユニット（1）の運転を開始及び停止するための運転信号や、上記ファンの回転速度を設定するための回転速度設定信号を上記電気配線を介して上記制御コントローラ（2）に出力するように構成されている。また、上記リモコン（34）は、後述する強制換気運転時の換気量を変更するための換気サイクル信号も制御コントローラ（2）に出力するように構成されている。
【００５８】
上記強制換気運転は、いわゆる２４時間換気運転と言われることがある。上記強制換気運転は、給気ファン（20）及び排気ファン（21）を間欠的に運転することにより行われ、この強制換気運転の換気量は、図３に示すように５段階で変更可能である。具体的に、上記リモコン（34）では、使用者が図３に示す設定ポジション番号をリモコン（34）に入力すると、その設定ポジション番号に対応する換気サイクル信号が制御コントローラ（2）に出力され、強制換気運転時の換気量を変更する。
【００５９】
また、上記第２給気ダクト（41）内には、全熱交換器ユニット（1）に流入する屋外の空気の温度を検知するための給気温度センサ（給気側温度検知部）（3）が設けられ、上記第１排気ダクト（42）内には、全熱交換器ユニット（1）に流入する居室内の空気の温度を検知するための排気温度センサ（排気側温度検知部）（4）が設けられている。
【００６０】
つまり、上記全熱交換器ユニット（1）の換気運転は、任意に換気を行うための任意換気運転と、該任意換気運転よりも少ない換気量で且つ所定の必要換気量以上の換気量で上記居室を強制換気する強制換気運転とを備えている。上記任意換気運転は通常に行われるいわゆる通常換気運転である。上記強制換気運転はいわゆる２４時間換気運転である。
【００６１】
上記制御コントローラ（2）は、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させるように構成されている。そして、上記制御コントローラ（2）は、上記強制換気運転時に上記両ファン（20，21）を間欠的に動作させる間欠制御が可能に構成されている。
【００６２】
−運転動作−
使用者が、リモコン（34）で３段階に設定された風量のうちの何れかを選択する。その後、使用者が、リモコン（34）の運転スイッチをＯＮすると、その選択した風量に対応する回転速度設定信号と全熱交換器ユニット（1）の運転を開始するための運転信号が、上記リモコン（34）から制御コントローラ（2）に入力され、給気ファン（20）及び排気ファン（21）が選択した風量で運転を開始する。すると、屋外の空気は上記給気用丸型フード（32）から第２給気ダクト（41）及び全熱交換器（22）の給気流路を通って上記ケーシング（10）内の給気ファン（20）に吸い込まれる。一方、居室内の空気は上記排気グリル（31）から第１排気ダクト（42）及び全熱交換器（22）の排気流路を通って上記ケーシング（10）内の上記排気ファン（21）に吸い込まれる。尚、上記全熱交換器（22）において、給気通路を流れる空気及び排気通路を流れる空気のうちの一方から他方へ熱と水分とが移動して、互いに温度と湿度が近づく。
【００６３】
そして、上記給気ファン（20）に吸い込まれた屋外の空気は、該給気ファン（20）から吹き出されて第１給気ダクト（40）に流入する。一方、上記排気ファン（21）に吸い込まれた居室内の空気は、該排気ファン（21）から吹き出されて第２排気ダクト（43）に流入する。
【００６４】
上記第１給気ダクト（40）に流入した屋外の空気は、該第１給気ダクト（40）を通過した後、供給空気として給気グリル（30）から居室内へ吹き出される。一方、上記第２排気ダクト（43）に流入した居室内の空気は、該第２排気ダクト（43）を通過した後、排出空気として排気用丸型フード（33）から屋外へ排出される。このように、リモコン（34）の運転指令により行われる運転が任意換気運転であり、この運転により居室内の空気が換気される。
【００６５】
使用者がリモコン（34）の運転スイッチをＯＦＦにすると任意換気運転が終了する。その後、上記給気ファン（20）と上記排気ファン（21）は完全停止するのでなく、リモコン（34）から制御コントローラ（2）に入力された換気サイクル信号に基づいて強制換気運転が行われる。つまり、上記給気ファン（20）及び上記排気ファン（21）が間欠的に運転される。尚、本実施形態では、各ファン（20，21）の回転速度は３段階のうちの最も低い回転速度に設定される。
【００６６】
例えば、図３の設定ポジション番号が０２に対応する換気サイクル信号が入力されている場合、上記給気ファン（20）及び上記排気ファン（21）は、２分間だけ運転した後２８分間停止する。その後、再び２分間だけ運転した後２８分間停止する。このサイクルを、リモコン（34）の運転スイッチをＯＮされるまで繰り返す。このように、上記任意換気運転の終了後、上記給気ファン（20）及び上記排気ファン（21）の送風動作が間欠的に行われる運転が強制換気運転であり、この運転により、任意換気運転が終了しても引き続き居室内の空気が換気される。
【００６７】
そして、使用者がリモコン（34）の運転スイッチをＯＮするとこの強制換気運転が終了するとともに、任意換気運転が開始される。
【００６８】
−実施形態の効果−
本実施形態では、従来とは違い、強制換気運転時に上記給気ファン（20）及び上記排気ファン（21）を間欠的に運転することが可能に構成されている。これにより、これらのファン（20，21）を連続的に運転する場合に比べて、強制換気運転時の換気量を少なくして消費電力量を低減することができる。
【００６９】
また、強制換気運転において、これらのファン（20，21）を間欠運転させた方が、連続運転させた場合よりも、全熱交換器（22）の温度交換効率を低く抑えることができる。これにより、供給空気の温度を居室内の空気の温度に近づけ過ぎないようにコントロールして、該供給空気を居室内に供給することができる。
【００７０】
また、本実施形態によれば、上記リモコン（34）の設定ポジション番号を変更することにより強制換気運転における居室内の換気量を自在に設定することができる。このことから、例えば、改正建築基準法で定められた基準に基づいて、居室内の換気量を設定することができる。これより、上記換気装置に対して無駄のない換気量を設定することができ、強制換気運転時の運転電力量を適切に抑えることができる。
【００７１】
−実施形態の変形例１−
本実施形態と、実施形態の変形例１との違いは、上記制御コントローラ（2）が、上記給気温度センサ（3）及び上記排気温度センサ（4）の検出温度に基づいて、上記各ファン（20，21）を連続運転と間欠運転とを切り換えることができる点と、その連続運転専用の回転数切換機構が上記各ファン（20，21）のファンモータに設けられている点である。
【００７２】
図５は、上記各ファン（20，21）が連続運転と間欠運転の何れかに設定された場合のファン風量及び駆動時間の関係を示すグラフである。尚、連続運転よりも間欠運転の方が風量が大きいが、連続運転よりも間欠運転の方の運転時間を短くすることにより、両者の換気量は同じ値に設定されている。そして、この換気量は、日本の法律に基づいてこの居室の床面積及び所定の建材の使用面積等から算出した換気量に等しい。
【００７３】
上記各ファン（20，21）が連続運転に設定されると、上記回転数切換機構により、任意換気運転時における最低回転速度よりさらに遅い回転速度で各ファン（20，21）が回転する。本変形例１では、図５に示すように、各ファン（20，21）は、８０ｍ３／ｈの風量で連続運転する。この風量に対する全熱交換器（22）の温度交換効率は８４％である。
【００７４】
一方、上記各ファン（20，21）が間欠運転に設定されると、上記各ファン（20，21）のファンモータの回転数が記回転数切換機構により切り換えられ、各ファン（20，21）は、４００ｍ３／ｈの風量で間欠運転する。この風量に対する全熱交換器（22）の温度交換効率は７０％である。
【００７５】
このように、ファン風量が多い間欠運転の方が温度交換効率を低くすることができる。したがって、居室内の空気と熱交換した屋外の空気を居室内に吹き出す全熱交換器において、居室内に吹き出す空気温度を居室温度に近づけたくない場合には、上記間欠運転を行う。逆に、居室内に吹き出す空気温度を居室温度に近づけたい場合、上記連続運転を行う。
【００７６】
つまり、上記制御コントローラ（2）は、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されている。
【００７７】
図６は、変形例１における強制換気運転時のフローチャートである。使用者がリモコン（34）の運転スイッチをＯＦＦすると任意換気運転が終了すると同時に強制換気運転が開始する。すると、図６のステップＳＴ１において、上記給気温度センサ（3）の検出温度Ｔ１が予め定められた設定温度Ｔｓｅｔ以上であるか否かを判定する。尚、本変形例１では、設定温度Ｔｓｅｔは１９℃に設定されている。
【００７８】
ステップＳＴ１は、屋外の季節を判定するものである。このステップＳＴ１において、検出温度Ｔ１は、全熱交換器（22）の給気側の入口温度であるため、屋外の温度とほぼ同じ温度である。この検出温度Ｔ１が１９℃以上であれば夏期と判定し、この検出温度Ｔ１が１９℃未満であれば冬期と判定する。そして、ステップＳＴ１の条件を満たせば、夏期と判定してステップＳＴ２に移り、そうでなければ冬期と判定してステップＳＴ３に移る。
【００７９】
ステップＳＴ２では、上記給気温度センサ（3）の検出温度Ｔ１が上記排気温度センサ（4）の検出温度Ｔ２より低いか否かを判定する。そして、ステップＳＴ２の条件を満たせば、ステップＳＴ４に移って上記各ファン（20，21）に間欠運転を行わせる。一方、ステップＳＴ２の条件を満たさなければ、ステップＳＴ５に移って上記各ファン（20，21）に連続運転を行わせる。尚、上記検出温度Ｔ２は、全熱交換器（22）の排気側の入口温度であるため、居室内の温度とほぼ同じである。
【００８０】
ステップＳＴ２において、夏期の場合、屋外の温度（Ｔ１）が居室内の温度（Ｔ２）よりも低いときには、屋外の空気温度をできるだけ全熱交換器（22）で高くせずに、その空気を居室内に吹き出させた方がよい。したがって、この場合には、上記各ファン（20，21）を間欠運転させる（ステップＳＴ４）。こうすると、上述したように全熱交換器（22）の温度交換効率が低くなるので、屋外の空気温度をできるだけ全熱交換器（22）で高くせずに、その空気を居室内に吹き出させることができる。
【００８１】
逆に、屋外の温度（Ｔ１）が居室内の温度（Ｔ２）以上のときには、屋外の空気温度をできるだけ全熱交換器（22）で低くしてから、その空気を居室内に吹き出させたほうがよい。したがって、この場合には、上記各ファン（20，21）を連続運転させる（ステップＳＴ５）。こうすると、上述したように全熱交換器（22）の温度交換効率が高くなるので、屋外の空気温度をできるだけ全熱交換器（22）で高くした後で、その空気を居室内に吹き出させることができる。
【００８２】
一方、ステップＳＴ３では、上記給気温度センサ（3）の検出温度Ｔ１が上記排気温度センサ（4）の検出温度Ｔ２より高いか否かを判定する。そして、ステップＳＴ３の条件を満たせば、ステップＳＴ６に移って上記各ファン（20，21）に間欠運転を行わせる。一方、ステップＳＴ３の条件を満たさなければ、ステップＳＴ７に移って上記各ファン（20，21）に連続運転を行わせる。
【００８３】
ステップＳＴ３において、冬期の場合には、夏期とは逆に、屋外の温度（Ｔ１）が居室内の温度（Ｔ２）よりも低い場合には、屋外の空気温度をできるだけ全熱交換器（22）で高くしてから、その空気を居室内に吹き出させた方がよい。したがって、この場合には、上記各ファン（20，21）を連続運転させる（ステップＳＴ７）。こうすると、上述したように全熱交換器（22）の温度交換効率が高くなるので、屋外の空気温度をできるだけ全熱交換器（22）で高くした後で、その空気を居室内に吹き出させることができる。
【００８４】
また、屋外の温度が居室内の温度よりも高い場合には、屋外の空気温度をできるだけ全熱交換器（22）で低くせずに、その空気を居室内に吹き出させたほうがよい。したがって、この場合には、上記各ファン（20，21）を間欠運転させる（ステップＳＴ６）。こうすると、上述したように全熱交換器（22）の温度交換効率が低くくなるので、屋外の空気温度をできるだけ全熱交換器（22）で低くせずに、その空気を居室内に吹き出させることができる。
【００８５】
このように、強制換気運転において、屋外の温度（Ｔ１）と居室内の温度（Ｔ２）とに基づいて、上記各ファン（20，21）を間欠的又は連続的に運転で行わせることにより、居室内に供給される空気の温度をコントロールすることができる。
【００８６】
−実施形態の変形例２−
本実施形態と、実施形態の変形例２との違いは、全熱交換器ユニット（1）が居室内に設置された冷房機構及び暖房機構である空調機（5，6）と連動しながら運転する点である。
【００８７】
図４に示す空調機（5，6）の運転は冷房運転と暖房運転とに切換可能に構成されている。居室内には、使用者がこの空調機（5，6）を操作するための空調用リモコン（7）が設けられている。この空調用リモコン（7）は、上記空調機（5，6）の運転制御を行うための空調用制御基板（8）と電気配線で接続されている。そして、この空調用制御基板（8）と全熱交換器ユニット用の制御コントローラ（2）とが電気配線で接続されている。
【００８８】
この空調用リモコン（7）は、空調機（5，6）の運転を開始又は停止するための運転信号、冷房運転モード又は暖房運転モードに設定するための運転設定信号、及び各運転モード時の設定温度を設定するための設定温度信号を上記電気配線を介して空調用制御基板（8）に出力する。また、これらの信号は、空調用制御基板（8）から全熱交換器ユニット用の制御コントローラ（2）へも出力される。
【００８９】
実施形態の変形例２では、使用者が空調用リモコン（7）で冷房運転又は暖房運転を選択した後、空調用リモコン（7）の運転スイッチをＯＮすると、選択した運転モードに対応する運転設定信号と空調機（5，6）の運転を開始するための運転信号とが空調用制御基板（8）と全熱交換器ユニット用の制御コントローラ（2）に入力される。すると、選択した運転モードで空調機（5，6）が運転を開始すると同時に、全熱交換器ユニット（1）が任意換気運転を開始する。そして、空調用リモコン（7）の運転スイッチをＯＦＦすると、空調機（5，6）の運転が停止すると同時に、全熱交換器ユニット（1）の運転が任意換気運転から強制換気運転に切り換わり、換気運転を続行する。
【００９０】
このように、空調機（5，6）と連動して全熱交換器ユニット（1）を運転する。
【００９１】
図７は、変形例２における強制換気運転時のフローチャートである。使用者が空調用リモコン（7）の運転スイッチをＯＦＦすると、上述したように強制換気運転が開始する。すると、図７のステップＳＴ１１において、空調機（5，6）の運転モードが冷房運転か否かを判定する。そして、冷房運転と判定すればステップＳＴ１２へ移り、冷房運転でなければ暖房運転と判定してステップＳＴ１３へ移る。このように、変形例１とは違い、空調用リモコン（7）における運転モードの設定状態で、屋外が夏期か冬期かを判定する。上記空調機（5，6）の運転モードが冷房であれば夏期と判定し、暖房であれば冬期と判定する。
【００９２】
ステップＳＴ１２では、変形例１とは違い、上記給気温度センサ（3）の検出温度Ｔ１が空調機（5，6）の冷房設定温度よりも低いか否かを判定する。屋外の温度（Ｔ１）が冷房設定温度より低いときには、屋外の空気温度をできるだけ全熱交換器（22）で高くせずに、その空気を居室内に吹き出させた方がよい。したがって、この場合には、上記各ファン（20，21）を間欠運転させる。こうすると、上述したように全熱交換器（22）の温度交換効率が低くなるので、屋外の空気温度をできるだけ全熱交換器（22）で高くせずに、その空気を居室内に吹き出させることができる。
【００９３】
逆に、屋外の温度（Ｔ１）が冷房設定温度以上のときには、屋外の空気温度をできるだけ全熱交換器（22）で低くしてから、その空気を居室内に吹き出させたほうがよい。したがって、この場合には、上記各ファン（20，21）を連続運転させる。こうすると、上述したように全熱交換器（22）の温度交換効率が高くなるので、屋外の空気温度をできるだけ全熱交換器（22）で低くした後で、その空気を居室内に吹き出させることができる。
【００９４】
一方、ステップＳＴ１３では、上記給気温度センサ（3）の検出温度Ｔ１が空調機（5，6）の暖房設定温度よりも高いか否かを判定する。屋外の温度（Ｔ１）が暖房設定温度より高いときには、屋外の空気温度をできるだけ全熱交換器（22）で低くせずに、その空気を居室内に吹き出させた方がよい。したがって、この場合には、上記各ファン（20，21）を間欠運転させる。こうすると、上述したように全熱交換器（22）の温度交換効率が低くなるので、屋外の空気温度をできるだけ全熱交換器（22）で低くせずに、その空気を居室内に吹き出させることができる。
【００９５】
逆に、屋外の温度（Ｔ１）が暖房設定温度以下のときには、屋外の空気温度をできるだけ全熱交換器（22）で高くしてから、その空気を居室内に吹き出させたほうがよい。したがって、この場合には、上記各ファン（20，21）を連続運転させる。こうすると、上述したように全熱交換器（22）の温度交換効率が高くなるので、屋外の空気温度をできるだけ全熱交換器（22）で高くした後で、その空気を居室内に吹き出させることができる。
【００９６】
このように、強制換気運転において、屋外の温度（Ｔ１）と上記空調機（5，6）の設定温度とに基づいて、上記各ファン（20，21）を間欠的又は連続的に運転で行わせることにより、居室内に供給される空気の温度をコントロールすることができる。
【００９７】
〈その他の実施形態〉
上記実施形態については、以下のような構成としてもよい。
【００９８】
本実施形態では、換気装置が天井埋込みダクト形の全熱交換器ユニット（1）を構成している。本発明の換気装置は、上記全熱交換器ユニット（1）に限定されず、例えば、天井埋込のカセット形の全熱交換器ユニットであってもよい。尚、このカセット形の全熱交換器ユニットは、ケーシング（10）の底面に吹出口と吸込口とが設けられているものである。この場合、給気グリル（30）及び排気グリル（31）を設けることなく、居室内の換気を行うことができる。
【００９９】
また、本実施形態では、上記給気ファン（20）と上記排気ファン（21）とは同時に間欠運転している。本発明は、これに限定されず、両方のファン（20，21）を異ならせて運転してもよい。この場合、上記給気ファン（20）の駆動時間の方が多ければ、居室内を正圧にすることができる。これにより、正圧にした居室と隣接する居室とが、がらり戸等で仕切られた場合において、隣接する居室の空気が正圧にした居室に流入しないようにすることができる。また、上記排気ファン（21）の駆動時間の方が多ければ、居室内を負圧にすることができる。これにより、負圧にした居室と隣接する居室とが、がらり戸等で仕切られた場合において、負圧にした居室の空気が隣接する居室に流入しないようにすることができる。
【０１００】
なお、以上の実施形態は、本質的に好ましい例示であって、本発明、その適用物、あるいはその用途の範囲を制限することを意図するものではない。
【産業上の利用可能性】
【０１０１】
以上説明したように、本発明は、居室内を換気する換気装置について有用である。
【符号の説明】
【０１０２】
1     全熱交換器ユニット（換気装置）
2     制御コントローラ（制御手段）
3     給気温度センサ（給気側温度検知部）
4     排気温度センサ（排気側温度検知部）
10     ケーシング
20     給気ファン
21     排気ファン
22     全熱交換器
34     リモコン（操作部）
【図１】
2010025539.tif 000003
【図２】
2010025539.tif 000004
【図３】
2010025539.tif 000005
【図４】
2010025539.tif 000006
【図５】
2010025539.tif 000007
【図６】
2010025539.tif 000008
【図７】
2010025539.tif 000009
【手続補正書】
【提出日】平成21年11月16日(2009.11.16)
【手続補正１】
【補正対象書類名】明細書
【補正対象項目名】全文
【補正方法】変更
【補正の内容】
【発明の詳細な説明】
【技術分野】
【０００１】
本発明は、居室内を換気する換気装置に関し、特に、強制換気運転を行う換気装置に係るものである。
【背景技術】
【０００２】
従来より、居室内の換気を行う換気装置が知られている。そして、この換気装置には、近年の改正の日本建築基準法に基づいて居室内を換気する２４時間の強制換気運転を行うものがある（例えば、特許文献１参照）。
【０００３】
特許文献１の換気装置は、住宅設備の制御装置としてのホームサーバの運転指令に基づいて、換気運転を行うことが可能に構成されている。このホームサーバには、シックハウス物質を検知するセンサが接続されている。そのセンサが居室内のシックハウス物質を検知すると、ホームサーバは換気装置に換気動作を行わせる。そして、居室内のシックハウス物質の検知量が閾値以下になるとその換気動作を停止させる。また、換気装置に電気的に接続されたリモコンによっても換気動作の開始及び停止をすることができる。このような換気動作が任意換気運転（通常換気運転）を構成する。
【０００４】
また、上記ホームサーバは、上述した法律で定められた換気回数で換気動作が行われたか否かを判定する。尚、換気回数とは、換気装置の有効換気量を居室内の容積で除した値をいう。そして、その定められた換気回数で換気動作が行われていなければ、シックハウス物質が検出されなくても強制的に換気動作を行わせる。この換気動作が強制換気運転（２４時間換気運転）を構成する。このように、従来の換気装置は、上記強制換気運転を行うことにより、任意換気運転が行われない場合でも法定の換気回数を確保することができる。
【０００５】
一方、この換気装置に全熱交換器を設けたものがある。この全熱交換器は、屋外から居室内に供給される供給空気と居室内から屋外へ排出される排出空気とを熱交換するように構成されている。この全熱交換器により、供給空気の温度を排出空気の温度（居室内の温度）に近づけてから、該供給空気を居室内に供給することができる。これにより、全熱交換器を用いずに屋外の空気をそのまま居室内に供給する場合に比べて居室内の空調負荷を低減することができる。
【先行技術文献】
【特許文献】
【０００６】
【特許文献１】特開２００５−３３７６４７号公報
【発明の概要】
【発明が解決しようとする課題】
【０００７】
しかしながら、従来の換気装置において、強制換気運転における送風ファンの消費電力量に関して何ら考慮されていない。このため、換気装置の省エネルギ性が低下してしまうという問題がある。
【０００８】
本発明は、かかる点に鑑みてなされたものであり、その目的は、全熱交換器を備えた換気装置において、強制換気運転時の消費電力量を低減することにある。
【課題を解決するための手段】
【０００９】
第１の発明は、屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置を前提としている。
【００１０】
そして、上記換気装置の換気運転は、任意に換気を行うための任意換気運転と、該任意換気運転よりも少ない換気量で且つ所定の必要換気量以上の換気量で上記居室を強制換気する強制換気運転とを有している。
【００１１】
さらに、上記換気装置は、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、上記全熱交換器（22）の供給空気の入口温度Ｔ１を検知する給気側温度検知部（3）と、上記全熱交換器（22）の排出空気の入口温度Ｔ２を検知する排気側温度検知部（4）とを備えている。
【００１２】
また、上記両ファン（20，21）は風量可変に構成されている。
【００１３】
加えて、上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、上記制御部（2）は、上記給気側温度検知部（3）の検出値が所定値Ｔｓｅｔ以上であって給気側温度検知部（3）の検出値が排気側温度検知部（4）の検出値よりも小さい場合には第２動作に設定し、上記給気側温度検知部（3）の検出値が所定値Ｔｓｅｔ以上であって給気側温度検知部（3）の検出値が排気側温度検知部（4）の検出値以上の場合には第１動作に設定するように構成されている。
【００１４】
上記第１の発明では、上記給気ファン（20）及び上記排気ファン（21）を間欠的に運転することにより、インバータ等の換気量調整手段を用いずに、強制換気運転時における居室内の換気量を通常の換気運転よりも少なくすることができる。
【００１５】
また、強制換気運転時において、単位時間あたりの換気量を変えずに、両方のファン（20，21）を連続的又は間欠的に動作させることができる。これにより、全熱交換器（22）の温度交換効率を変化させることができる。つまり、これらのファン（20，21）を間欠運転させた場合の換気量と連続運転させた場合の換気量とが等しいとすると、上記全熱交換器（22）内を流れる供給空気及び排出空気の流速は、間欠運転させた場合の方が速い。したがって、供給空気及び排出空気の流速が速い分だけ、全熱交換器（22）の温度交換効率が低くすることができる。
【００１６】
尚、単位時間あたりの換気量を、居室に対して必要な換気量（例えば、日本の法律で定められた換気量）に設定すれば、強制換気運転時における両方のファン（20，21）の消費電力を必要最小限に抑えることが可能である。
【００１７】
また、上記給気側温度検知部（3）及び上記排気側温度検知部（4）の検出値に基づいて、強制換気運転を第１動作及び第２動作で行わせることができる。ここで、所定値とは屋外の季節を判定するための値であり、例えば、この所定値を１９℃に設定したとすれば、供給空気の入口温度が１９℃以上であれば夏期と判定する。
【００１８】
そして、夏期と判定した場合、供給空気の入口温度Ｔ１が排出空気の入口温度Ｔ２よりも低いときには、供給空気の空気温度をできるだけ全熱交換器（22）で高くせずに、その空気を居室内に吹き出させた方がよい。したがって、この場合には、上記各ファン（20，21）を間欠運転させる。こうすると、上述したように全熱交換器（22）の温度交換効率が低くなるので、供給空気の空気温度をできるだけ全熱交換器（22）で高くせずに、その空気を居室内に吹き出させることができる。
【００１９】
逆に、供給空気の入口温度Ｔ１が排出空気の入口温度Ｔ２以上のときには、供給空気の空気温度をできるだけ全熱交換器（22）で低くしてから、その空気を居室内に吹き出させたほうがよい。したがって、この場合には、上記各ファン（20，21）を連続運転させる。こうすると、上述したように全熱交換器（22）の温度交換効率が高くなるので、供給空気の空気温度をできるだけ全熱交換器（22）で高くした後で、その空気を居室内に吹き出させることができる。
【００２０】
第２の発明は、屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置を対象としている。
【００２１】
そして、上記換気運転は、任意に換気を行うための任意換気運転と、該任意換気運転よりも少ない換気量で且つ所定の必要換気量以上の換気量で上記居室を強制換気する強制換気運転とを有している。
【００２２】
さらに、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、上記全熱交換器（22）の供給空気の入口温度Ｔ１を検知する給気側温度検知部（3）と、上記全熱交換器（22）の排出空気の入口温度Ｔ２を検知する排気側温度検知部（4）とを備えている。
【００２３】
また、上記両ファン（20，21）は風量可変に構成されている。
【００２４】
加えて、上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、上記制御部（2）は、上記給気側温度検知部（3）の検出値が所定値Ｔｓｅｔよりも小さい場合であって給気側温度検知部（3）の検出値が排気側温度検知部（4）の検出値以下の場合には第１動作に設定し、上記給気側温度検知部（3）の検出値が所定値Ｔｓｅｔよりも小さい場合であって給気側温度検知部（3）の検出値が排気側温度検知部（4）の検出値より大きい場合には第２動作に設定するように構成されている。
【００２５】
上記第２の発明では、上記給気ファン（20）及び上記排気ファン（21）を間欠的に運転することにより、インバータ等の換気量調整手段を用いずに、強制換気運転時における居室内の換気量を通常の換気運転よりも少なくすることができる。
【００２６】
また、強制換気運転時において、単位時間あたりの換気量を変えずに、両方のファン（20，21）を連続的又は間欠的に動作させることができる。これにより、全熱交換器（22）の温度交換効率を変化させることができる。つまり、これらのファン（20，21）を間欠運転させた場合の換気量と連続運転させた場合の換気量とが等しいとすると、上記全熱交換器（22）内を流れる供給空気及び排出空気の流速は、間欠運転させた場合の方が速い。したがって、供給空気及び排出空気の流速が速い分だけ、全熱交換器（22）の温度交換効率が低くすることができる。
【００２７】
尚、単位時間あたりの換気量を、居室に対して必要な換気量（例えば、日本の法律で定められた換気量）に設定すれば、強制換気運転時における両方のファン（20，21）の消費電力を必要最小限に抑えることが可能である。
【００２８】
また、上記給気側温度検知部（3）及び上記排気側温度検知部（4）の検出値に基づいて、強制換気運転を第１動作及び第２動作で行わせることができる。ここで、所定値とは屋外の季節を判定するための値であり、例えば、この所定値を１９℃に設定したとすれば、供給空気の入口温度が１９℃よりも低ければ冬期と判定する。
【００２９】
そして、冬期と判定した場合には、夏期とは逆に、供給空気の入口温度Ｔ１が排出空気の入口温度Ｔ２以下の場合には、供給空気の温度をできるだけ全熱交換器（22）で高くしてから、その空気を居室内に吹き出させた方がよい。したがって、この場合には、上記各ファン（20，21）を連続運転させる。こうすると、上述したように全熱交換器（22）の温度交換効率が高くなるので、供給空気の空気温度をできるだけ全熱交換器（22）で高くした後で、その空気を居室内に吹き出させることができる。
【００３０】
また、供給空気の入口温度Ｔ１が排出空気の入口温度Ｔ２よりも大きい場合には、供給空気の温度をできるだけ全熱交換器（22）で低くせずに、その空気を居室内に吹き出させたほうがよい。したがって、この場合には、上記各ファン（20，21）を間欠運転させる。こうすると、上述したように全熱交換器（22）の温度交換効率が低くくなるので、供給空気の空気温度をできるだけ全熱交換器（22）で低くせずに、その空気を居室内に吹き出させることができる。
【００３１】
第３の発明は、屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置を対象としている。
【００３２】
そして、上記換気運転は、任意に換気を行うための任意換気運転と、該任意換気運転よりも少ない換気量で且つ所定の必要換気量以上の換気量で上記居室を強制換気する強制換気運転とを有している。
【００３３】
さらに、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、上記全熱交換器（22）の供給空気の入口温度Ｔ１を検知する給気側温度検知部（3）と、上記居室内の温度が冷房設定温度となるように居室内を冷房する冷房機構（5）とを備えている。
【００３４】
また、上記両ファン（20，21）は風量可変に構成されている。
【００３５】
加えて、上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、上記制御部（2）は、上記給気側温度検知部（3）で検知した供給空気の入口温度Ｔ１が上記冷房設定温度以上の場合には第１動作に設定し、上記供給空気の入口温度Ｔ１が上記冷房設定温度よりも小さい場合には第２動作に設定するように構成されている。
【００３６】
上記第３の発明では、上記給気ファン（20）及び上記排気ファン（21）を間欠的に運転することにより、インバータ等の換気量調整手段を用いずに、強制換気運転時における居室内の換気量を通常の換気運転よりも少なくすることができる。
【００３７】
また、強制換気運転時において、単位時間あたりの換気量を変えずに、両方のファン（20，21）を連続的又は間欠的に動作させることができる。これにより、全熱交換器（22）の温度交換効率を変化させることができる。つまり、これらのファン（20，21）を間欠運転させた場合の換気量と連続運転させた場合の換気量とが等しいとすると、上記全熱交換器（22）内を流れる供給空気及び排出空気の流速は、間欠運転させた場合の方が速い。したがって、供給空気及び排出空気の流速が速い分だけ、全熱交換器（22）の温度交換効率が低くすることができる。
【００３８】
尚、単位時間あたりの換気量を、居室に対して必要な換気量（例えば、日本の法律で定められた換気量）に設定すれば、強制換気運転時における両方のファン（20，21）の消費電力を必要最小限に抑えることが可能である。
【００３９】
また、居室内に設置した冷房機構（5）の冷房設定温度と給気側温度検知部（3）の検出値から屋外の季節を判定して、強制換気運転時を第１動作及び第２動作で行わせることができる。
【００４０】
第４の発明は、屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置を対象としている。
【００４１】
そして、上記換気運転は、任意に換気を行うための任意換気運転と、該任意換気運転よりも少ない換気量で且つ所定の必要換気量以上の換気量で上記居室を強制換気する強制換気運転とを有している。
【００４２】
さらに、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、上記全熱交換器（22）の供給空気の入口温度Ｔ１を検知する給気側温度検知部（3）と、上記居室内の温度が暖房設定温度となるように居室内を暖房する暖房機構（6）とを備えている。
【００４３】
また、上記両ファン（20，21）は風量可変に構成されている。
【００４４】
加えて、上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、上記制御部（2）は、上記給気側温度検知部（3）で検知した供給空気の入口温度Ｔ１が上記暖房設定温度以下の場合には第１動作に設定し、上記供給空気の入口温度Ｔ１が上記暖房設定温度より大きい場合には第２動作に設定するように構成されている。
【００４５】
上記第４の発明では、上記給気ファン（20）及び上記排気ファン（21）を間欠的に運転することにより、インバータ等の換気量調整手段を用いずに、強制換気運転時における居室内の換気量を通常の換気運転よりも少なくすることができる。
【００４６】
また、強制換気運転時において、単位時間あたりの換気量を変えずに、両方のファン（20，21）を連続的又は間欠的に動作させることができる。これにより、全熱交換器（22）の温度交換効率を変化させることができる。つまり、これらのファン（20，21）を間欠運転させた場合の換気量と連続運転させた場合の換気量とが等しいとすると、上記全熱交換器（22）内を流れる供給空気及び排出空気の流速は、間欠運転させた場合の方が速い。したがって、供給空気及び排出空気の流速が速い分だけ、全熱交換器（22）の温度交換効率が低くすることができる。
【００４７】
尚、単位時間あたりの換気量を、居室に対して必要な換気量（例えば、日本の法律で定められた換気量）に設定すれば、強制換気運転時における両方のファン（20，21）の消費電力を必要最小限に抑えることが可能である。
【００４８】
また、居室内に設置した暖房手段（6）の暖房設定温度と給気側温度検知部（3）の検出値から屋外の季節を判定して、強制換気運転時を第１動作及び第２動作で行わせることができる。
【００４９】
第５の発明は、第１から第４の何れか１つの発明において、上記制御部（2）は、上記強制換気運転時における各ファン（20，21）の間欠運転時間に占める駆動時間及び停止時間の割合が変更可能に構成されたものである。
【００５０】
第５の発明では、強制換気運転における居室内の換気量を自在に設定することができる。つまり、これらファン（20，21）の間欠運転時間において、駆動時間の占める割合を大きくすると、居室内の換気量を多くすることができる。逆に、停止時間の占める割合が大きくすると、居室内の換気量を少なくすることができる。
【００５１】
第６の発明は、第３の発明において、上記冷房機構（5）の運転が停止すると上記冷房機構（5）から上記制御部（2）へ停止信号が出力され、上記冷房機構（5）の運転が開始すると上記冷房機構（5）から上記制御部（2）へ開始信号が出力されるように、上記冷房機構（5）と上記制御部（2）とが電気的に接続されたものである。
【００５２】
第６の発明では、上記冷房機構（5）の運転に連動して換気装置を運転することができる。
【００５３】
第７の発明は、第４の発明において、上記暖房機構（6）の運転が停止すると上記暖房機構（6）から上記制御部（2）へ停止信号が出力され、上記暖房機構（6）の運転が開始すると上記暖房機構（6）から上記制御部（2）へ開始信号が出力されるように、上記暖房機構（6）と上記制御部（2）とが電気的に接続されたものである。
【００５４】
第７の発明では、上記暖房機構（6）の運転に連動して換気装置を運転することができる。
【００５５】
第８の発明は、第１から第７の何れか１つの発明において、使用者が操作する操作部（34）を備えている。そして、上記操作部（34）から上記制御部（2）に向かって上記停止信号及び上記開始信号が出力されるように、上記操作部（34）と上記制御部（2）とが電気的に接続されている。
【００５６】
第８の発明では、使用者が操作する操作部（34）により、換気装置を運転することができる。
【発明の効果】
【００５７】
本発明によれば、上記給気ファン（20）及び上記排気ファン（21）を間欠的に運転することにより、インバータ等の換気量調整手段を用いずに、強制換気運転時における居室内の換気量を通常の換気運転よりも少なくすることができる。これにより、強制換気運転時における換気装置の電力消費量を従来よりも低く抑えることができる。
【００５８】
また、強制換気運転時において、単位時間あたりの換気量を変えずに、両方のファン（20，21）を連続的又は間欠的に動作させることができる。これにより、全熱交換器（22）の温度交換効率を変化させることができ、居室内に供給される空気の温度を可能な限りコントロールすることができる。
【００５９】
また、上記第１、２の発明によれば、上記給気側温度検知部（3）及び上記排気側温度検知部（4）の検出値に基づいて、強制換気運転を第１動作又は第２動作で行わせることができる。これにより、居室内に供給される供給空気の温度を可能な限りコントロールすることができる。
【００６０】
また、上記第３の発明によれば、居室内に設置した冷房機構（5）の冷房設定温度と給気側温度検知部（3）の検出値から屋外の季節を判定して、強制換気運転時を第１動作及び第２動作で行わせることができる。これにより、冷房機構（5）と連動して換気装置を運転することができる。
【００６１】
また、上記第４の発明によれば、居室内に設置した暖房機構（6）の暖房設定温度と給気側温度検知部（3）の検出値から屋外の季節を判定して、強制換気運転時を第１動作及び第２動作で行わせることができる。これにより、暖房機構（6）と連動して換気装置を運転することができる。
【００６２】
また、上記第５の発明によれば、強制換気運転における居室内の換気量を自在に設定することができる。このことから、例えば、改正の日本建築基準法で定められた基準に基づいて、居室内の換気量を設定することができる。これより、上記換気装置に対して無駄のない換気量を設定することができ、強制換気運転時の運転電力量を適切に抑えることができる。
【００６３】
また、上記第６の発明によれば、上記冷房機構（5）の運転に連動して換気装置を運転することができる。これにより、上記冷房機構（5）の運転が停止した後に強制換気運転を行うことができる。
【００６４】
また、上記第７の発明によれば、上記暖房機構（6）の運転に連動して換気装置を運転することができる。これにより、上記暖房機構（6）の運転が停止した後に強制換気運転を行うことができる。
【００６５】
また、上記第８の発明によれば、使用者が操作する操作部（34）により、換気装置を運転することができる。これにより、使用者が換気装置を停止させて、居室内からいなくなった後に、強制換気運転を行うことができる。
【図面の簡単な説明】
【００６６】
【図１】図１は、本実施形態に係る換気装置の外形図である。
【図２】図２は、本実施形態に係る換気装置の設置図である。
【図３】図３は、本実施形態に係る換気装置の設定ポジション番号と換気サイクルの対応表である。
【図４】図４は、本実施形態の変形例２に係る換気装置及び空調機の設置図である。
【図５】図５は、本実施形態に係る換気装置の強制換気運転において、各ファンが連続運転又は間欠運転に設定された場合におけるファン風量及び起動時間の関係を示すグラフである。
【図６】図６は、本実施形態の変形例１に係る換気装置における強制換気運転時のフローチャートである。
【図７】図７は、本実施形態の変形例２に係る換気装置における強制換気運転時のフローチャートである。
【発明を実施するための形態】
【００６７】
以下、本発明の実施形態を図面に基づいて詳細に説明する。
【００６８】
〈実施形態〉
図１及び図２に示すように、本実施形態の換気装置（1）は、天井埋込ダクト形の全熱交換器ユニットである。なお、以下の説明で用いる「右」「左」「上」「下」「手前」「奥」という語句の意味は、特にことわらない限り、いずれも図１に示す状態の意味である。
【００６９】
図１に示すように、この全熱交換器ユニット（1）は、横長で扁平な直方体状のケーシング（10）を備えている。上記ケーシング（10）の右側板（11）には、外気吸込ダクト接続部（13）と排気ダクト接続部（14）とが１つずつ設けられている。この右側板（11）において、外気吸込ダクト接続部（13）は奥側に配置され、排気ダクト接続部（14）は手前側に配置されている。
【００７０】
一方、上記ケーシング（10）の左側板（12）には、内気吸込ダクト接続部（15）と給気ダクト接続部（16）とが設けられている。この左側板（12）において、内気吸込ダクト接続部（15）は手前側に配置され、給気ダクト接続部（16）は奥側に配置されている。
【００７１】
上記ケーシング（10）の内部空間は、図示しないが、給気側通路と排気側通路とに仕切られている。この給気側通路は、外気吸込ダクト接続部（13）及び給気ダクト接続部（16）の開口部と連通している。上記排気側通路は、内気吸込ダクト接続部（15）及び排気ダクト接続部（14）の開口部と連通している。そして、上記給気側通路には給気ファン（20）が設けられ、上記排気側通路には排気ファン（21）が設けられている。
【００７２】
これらのファン（20，21）は、いずれもいわゆるシロッコファンであるファン本体と、これを駆動するファンモータとによって構成されている。上記ファンモータは、その回転数を段階的に変更するための回転数切換機構が設けられ、この回転数切換機構により、ファンの回転速度を調整することができる。本実施形態では、上記ファンモータの回転数を３段階に変更できる。
【００７３】
上記ケーシング（10）の内部空間には、上記給気側通路と排気側通路とに跨って、全熱交換器（22）が設けられている。この全熱交換器（22）は、端面が正方形となった四角柱状に形成され、全熱交換器（22）では、平板部材（図示なし）と波板部材（図示なし）とがその長手方向へ交互に配置されている。この全熱交換器（22）は、屋外の空気を流すための給気流路と、居室内の空気を流すための排気流路とが、平板部材を挟んで交互に形成され、給気流路の伸長方向と排気流路の伸長方向が互いに直交する直交流型の熱交換器を構成している。尚、上記給気流路は上記給気側通路に連通し、上記排気流路は上記排気側通路に連通している。
【００７４】
また、上記全熱交換器（22）の平板部材は、例えば紙などの透湿性の材料で構成されている。全熱交換器（22）では、給気流路を流れる屋外の空気と排気流路を流れる居室内の空気のうちの一方から他方へ熱と水分が移動する。つまり、全熱交換器（22）では、湿り空気同士の間でエンタルピが交換されるようになっている。
【００７５】
上記ケーシング（10）の手前側の側板には、制御ボックス（23）が取り付けられている。該制御ボックス（23）内には上記給気ファン（20）及び上記排気ファン（21）の運転を制御するための制御部であるコントローラ（2）が収納されている。尚、この制御コントローラ（2）で制御される運転の中には、本発明の特徴である強制換気運転も含まれる。この強制換気運転の詳細は後述する。
【００７６】
図２に示すように、上記全熱交換器ユニット（1）は居室の天井裏に設置されている。天井には、給気口を有する給気グリル（30）と排気口を有する排気グリル（31）とが設けられている。上記給気グリル（30）には第１給気ダクト（40）の一端が接続され、他端は上記全熱交換器ユニット（1）の給気ダクト接続部（16）が接続されている。上記排気グリル（31）には第１排気ダクト（42）の一端が接続され、他端は上記全熱交換器ユニット（1）の内気吸込ダクト接続部（15）に接続されている。
【００７７】
また、居室と屋外とを仕切る壁体には給気用丸型フード（32）と排気用丸型フード（33）とが設けられている。上記各丸型フード（32，33）は通気口を有している。上記給気用丸型フード（32）には第２給気ダクト（41）の一端が接続され、他端は上記全熱交換器ユニット（1）の外気吸込ダクト接続部（13）に接続されている。上記排気用丸型フード（33）には第２排気ダクト（43）の一端が接続され、他端は上記全熱交換器ユニット（1）の排気ダクト接続部（14）に接続されている。
【００７８】
居室内には操作部であるリモコン（34）が設置されている。該リモコン（34）は、使用者が全熱交換器ユニット（1）を操作するために用いるものであり、上記制御ボックス（23）の制御コントローラ（2）と電気配線で接続されている。
【００７９】
上記リモコン（34）は、全熱交換器ユニット（1）の運転を開始及び停止するための運転信号や、上記ファンの回転速度を設定するための回転速度設定信号を上記電気配線を介して上記制御コントローラ（2）に出力するように構成されている。また、上記リモコン（34）は、後述する強制換気運転時の換気量を変更するための換気サイクル信号も制御コントローラ（2）に出力するように構成されている。
【００８０】
上記強制換気運転は、いわゆる２４時間換気運転と言われることがある。上記強制換気運転は、給気ファン（20）及び排気ファン（21）を間欠的に運転することにより行われ、この強制換気運転の換気量は、図３に示すように５段階で変更可能である。具体的に、上記リモコン（34）では、使用者が図３に示す設定ポジション番号をリモコン（34）に入力すると、その設定ポジション番号に対応する換気サイクル信号が制御コントローラ（2）に出力され、強制換気運転時の換気量を変更する。
【００８１】
また、上記第２給気ダクト（41）内には、全熱交換器ユニット（1）に流入する屋外の空気の温度を検知するための給気温度センサ（給気側温度検知部）（3）が設けられ、上記第１排気ダクト（42）内には、全熱交換器ユニット（1）に流入する居室内の空気の温度を検知するための排気温度センサ（排気側温度検知部）（4）が設けられている。
【００８２】
つまり、上記全熱交換器ユニット（1）の換気運転は、任意に換気を行うための任意換気運転と、該任意換気運転よりも少ない換気量で且つ所定の必要換気量以上の換気量で上記居室を強制換気する強制換気運転とを備えている。上記任意換気運転は通常に行われるいわゆる通常換気運転である。上記強制換気運転はいわゆる２４時間換気運転である。
【００８３】
上記制御コントローラ（2）は、上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させるように構成されている。そして、上記制御コントローラ（2）は、上記強制換気運転時に上記両ファン（20，21）を間欠的に動作させる間欠制御が可能に構成されている。
【００８４】
−運転動作−
使用者が、リモコン（34）で３段階に設定された風量のうちの何れかを選択する。その後、使用者が、リモコン（34）の運転スイッチをＯＮすると、その選択した風量に対応する回転速度設定信号と全熱交換器ユニット（1）の運転を開始するための運転信号が、上記リモコン（34）から制御コントローラ（2）に入力され、給気ファン（20）及び排気ファン（21）が選択した風量で運転を開始する。すると、屋外の空気は上記給気用丸型フード（32）から第２給気ダクト（41）及び全熱交換器（22）の給気流路を通って上記ケーシング（10）内の給気ファン（20）に吸い込まれる。一方、居室内の空気は上記排気グリル（31）から第１排気ダクト（42）及び全熱交換器（22）の排気流路を通って上記ケーシング（10）内の上記排気ファン（21）に吸い込まれる。尚、上記全熱交換器（22）において、給気通路を流れる空気及び排気通路を流れる空気のうちの一方から他方へ熱と水分とが移動して、互いに温度と湿度が近づく。
【００８５】
そして、上記給気ファン（20）に吸い込まれた屋外の空気は、該給気ファン（20）から吹き出されて第１給気ダクト（40）に流入する。一方、上記排気ファン（21）に吸い込まれた居室内の空気は、該排気ファン（21）から吹き出されて第２排気ダクト（43）に流入する。
【００８６】
上記第１給気ダクト（40）に流入した屋外の空気は、該第１給気ダクト（40）を通過した後、供給空気として給気グリル（30）から居室内へ吹き出される。一方、上記第２排気ダクト（43）に流入した居室内の空気は、該第２排気ダクト（43）を通過した後、排出空気として排気用丸型フード（33）から屋外へ排出される。このように、リモコン（34）の運転指令により行われる運転が任意換気運転であり、この運転により居室内の空気が換気される。
【００８７】
使用者がリモコン（34）の運転スイッチをＯＦＦにすると任意換気運転が終了する。その後、上記給気ファン（20）と上記排気ファン（21）は完全停止するのでなく、リモコン（34）から制御コントローラ（2）に入力された換気サイクル信号に基づいて強制換気運転が行われる。つまり、上記給気ファン（20）及び上記排気ファン（21）が間欠的に運転される。尚、本実施形態では、各ファン（20，21）の回転速度は３段階のうちの最も低い回転速度に設定される。
【００８８】
例えば、図３の設定ポジション番号が０２に対応する換気サイクル信号が入力されている場合、上記給気ファン（20）及び上記排気ファン（21）は、２分間だけ運転した後２８分間停止する。その後、再び２分間だけ運転した後２８分間停止する。このサイクルを、リモコン（34）の運転スイッチをＯＮされるまで繰り返す。このように、上記任意換気運転の終了後、上記給気ファン（20）及び上記排気ファン（21）の送風動作が間欠的に行われる運転が強制換気運転であり、この運転により、任意換気運転が終了しても引き続き居室内の空気が換気される。
【００８９】
そして、使用者がリモコン（34）の運転スイッチをＯＮするとこの強制換気運転が終了するとともに、任意換気運転が開始される。
【００９０】
−実施形態の効果−
本実施形態では、従来とは違い、強制換気運転時に上記給気ファン（20）及び上記排気ファン（21）を間欠的に運転することが可能に構成されている。これにより、これらのファン（20，21）を連続的に運転する場合に比べて、強制換気運転時の換気量を少なくして消費電力量を低減することができる。
【００９１】
また、強制換気運転において、これらのファン（20，21）を間欠運転させた方が、連続運転させた場合よりも、全熱交換器（22）の温度交換効率を低く抑えることができる。これにより、供給空気の温度を居室内の空気の温度に近づけ過ぎないようにコントロールして、該供給空気を居室内に供給することができる。
【００９２】
また、本実施形態によれば、上記リモコン（34）の設定ポジション番号を変更することにより強制換気運転における居室内の換気量を自在に設定することができる。このことから、例えば、改正建築基準法で定められた基準に基づいて、居室内の換気量を設定することができる。これより、上記換気装置に対して無駄のない換気量を設定することができ、強制換気運転時の運転電力量を適切に抑えることができる。
【００９３】
−実施形態の変形例１−
本実施形態と、実施形態の変形例１との違いは、上記制御コントローラ（2）が、上記給気温度センサ（3）及び上記排気温度センサ（4）の検出温度に基づいて、上記各ファン（20，21）を連続運転と間欠運転とを切り換えることができる点と、その連続運転専用の回転数切換機構が上記各ファン（20，21）のファンモータに設けられている点である。
【００９４】
図５は、上記各ファン（20，21）が連続運転と間欠運転の何れかに設定された場合のファン風量及び駆動時間の関係を示すグラフである。尚、連続運転よりも間欠運転の方が風量が大きいが、連続運転よりも間欠運転の方の運転時間を短くすることにより、両者の換気量は同じ値に設定されている。そして、この換気量は、日本の法律に基づいてこの居室の床面積及び所定の建材の使用面積等から算出した換気量に等しい。
【００９５】
上記各ファン（20，21）が連続運転に設定されると、上記回転数切換機構により、任意換気運転時における最低回転速度よりさらに遅い回転速度で各ファン（20，21）が回転する。本変形例１では、図５に示すように、各ファン（20，21）は、８０ｍ３／ｈの風量で連続運転する。この風量に対する全熱交換器（22）の温度交換効率は８４％である。
【００９６】
一方、上記各ファン（20，21）が間欠運転に設定されると、上記各ファン（20，21）のファンモータの回転数が記回転数切換機構により切り換えられ、各ファン（20，21）は、４００ｍ３／ｈの風量で間欠運転する。この風量に対する全熱交換器（22）の温度交換効率は７０％である。
【００９７】
このように、ファン風量が多い間欠運転の方が温度交換効率を低くすることができる。したがって、居室内の空気と熱交換した屋外の空気を居室内に吹き出す全熱交換器において、居室内に吹き出す空気温度を居室温度に近づけたくない場合には、上記間欠運転を行う。逆に、居室内に吹き出す空気温度を居室温度に近づけたい場合、上記連続運転を行う。
【００９８】
つまり、上記制御コントローラ（2）は、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されている。
【００９９】
図６は、変形例１における強制換気運転時のフローチャートである。使用者がリモコン（34）の運転スイッチをＯＦＦすると任意換気運転が終了すると同時に強制換気運転が開始する。すると、図６のステップＳＴ１において、上記給気温度センサ（3）の検出温度Ｔ１が予め定められた設定温度Ｔｓｅｔ以上であるか否かを判定する。尚、本変形例１では、設定温度Ｔｓｅｔは１９℃に設定されている。
【０１００】
ステップＳＴ１は、屋外の季節を判定するものである。このステップＳＴ１において、検出温度Ｔ１は、全熱交換器（22）の給気側の入口温度であるため、屋外の温度とほぼ同じ温度である。この検出温度Ｔ１が１９℃以上であれば夏期と判定し、この検出温度Ｔ１が１９℃未満であれば冬期と判定する。そして、ステップＳＴ１の条件を満たせば、夏期と判定してステップＳＴ２に移り、そうでなければ冬期と判定してステップＳＴ３に移る。
【０１０１】
ステップＳＴ２では、上記給気温度センサ（3）の検出温度Ｔ１が上記排気温度センサ（4）の検出温度Ｔ２より低いか否かを判定する。そして、ステップＳＴ２の条件を満たせば、ステップＳＴ４に移って上記各ファン（20，21）に間欠運転を行わせる。一方、ステップＳＴ２の条件を満たさなければ、ステップＳＴ５に移って上記各ファン（20，21）に連続運転を行わせる。尚、上記検出温度Ｔ２は、全熱交換器（22）の排気側の入口温度であるため、居室内の温度とほぼ同じである。
【０１０２】
ステップＳＴ２において、夏期の場合、屋外の温度（Ｔ１）が居室内の温度（Ｔ２）よりも低いときには、屋外の空気温度をできるだけ全熱交換器（22）で高くせずに、その空気を居室内に吹き出させた方がよい。したがって、この場合には、上記各ファン（20，21）を間欠運転させる（ステップＳＴ４）。こうすると、上述したように全熱交換器（22）の温度交換効率が低くなるので、屋外の空気温度をできるだけ全熱交換器（22）で高くせずに、その空気を居室内に吹き出させることができる。
【０１０３】
逆に、屋外の温度（Ｔ１）が居室内の温度（Ｔ２）以上のときには、屋外の空気温度をできるだけ全熱交換器（22）で低くしてから、その空気を居室内に吹き出させたほうがよい。したがって、この場合には、上記各ファン（20，21）を連続運転させる（ステップＳＴ５）。こうすると、上述したように全熱交換器（22）の温度交換効率が高くなるので、屋外の空気温度をできるだけ全熱交換器（22）で高くした後で、その空気を居室内に吹き出させることができる。
【０１０４】
一方、ステップＳＴ３では、上記給気温度センサ（3）の検出温度Ｔ１が上記排気温度センサ（4）の検出温度Ｔ２より高いか否かを判定する。そして、ステップＳＴ３の条件を満たせば、ステップＳＴ６に移って上記各ファン（20，21）に間欠運転を行わせる。一方、ステップＳＴ３の条件を満たさなければ、ステップＳＴ７に移って上記各ファン（20，21）に連続運転を行わせる。
【０１０５】
ステップＳＴ３において、冬期の場合には、夏期とは逆に、屋外の温度（Ｔ１）が居室内の温度（Ｔ２）よりも低い場合には、屋外の空気温度をできるだけ全熱交換器（22）で高くしてから、その空気を居室内に吹き出させた方がよい。したがって、この場合には、上記各ファン（20，21）を連続運転させる（ステップＳＴ７）。こうすると、上述したように全熱交換器（22）の温度交換効率が高くなるので、屋外の空気温度をできるだけ全熱交換器（22）で高くした後で、その空気を居室内に吹き出させることができる。
【０１０６】
また、屋外の温度が居室内の温度よりも高い場合には、屋外の空気温度をできるだけ全熱交換器（22）で低くせずに、その空気を居室内に吹き出させたほうがよい。したがって、この場合には、上記各ファン（20，21）を間欠運転させる（ステップＳＴ６）。こうすると、上述したように全熱交換器（22）の温度交換効率が低くくなるので、屋外の空気温度をできるだけ全熱交換器（22）で低くせずに、その空気を居室内に吹き出させることができる。
【０１０７】
このように、強制換気運転において、屋外の温度（Ｔ１）と居室内の温度（Ｔ２）とに基づいて、上記各ファン（20，21）を間欠的又は連続的に運転で行わせることにより、居室内に供給される空気の温度をコントロールすることができる。
【０１０８】
−実施形態の変形例２−
本実施形態と、実施形態の変形例２との違いは、全熱交換器ユニット（1）が居室内に設置された冷房機構及び暖房機構である空調機（5，6）と連動しながら運転する点である。
【０１０９】
図４に示す空調機（5，6）の運転は冷房運転と暖房運転とに切換可能に構成されている。居室内には、使用者がこの空調機（5，6）を操作するための空調用リモコン（7）が設けられている。この空調用リモコン（7）は、上記空調機（5，6）の運転制御を行うための空調用制御基板（8）と電気配線で接続されている。そして、この空調用制御基板（8）と全熱交換器ユニット用の制御コントローラ（2）とが電気配線で接続されている。
【０１１０】
この空調用リモコン（7）は、空調機（5，6）の運転を開始又は停止するための運転信号、冷房運転モード又は暖房運転モードに設定するための運転設定信号、及び各運転モード時の設定温度を設定するための設定温度信号を上記電気配線を介して空調用制御基板（8）に出力する。また、これらの信号は、空調用制御基板（8）から全熱交換器ユニット用の制御コントローラ（2）へも出力される。
【０１１１】
実施形態の変形例２では、使用者が空調用リモコン（7）で冷房運転又は暖房運転を選択した後、空調用リモコン（7）の運転スイッチをＯＮすると、選択した運転モードに対応する運転設定信号と空調機（5，6）の運転を開始するための運転信号とが空調用制御基板（8）と全熱交換器ユニット用の制御コントローラ（2）に入力される。すると、選択した運転モードで空調機（5，6）が運転を開始すると同時に、全熱交換器ユニット（1）が任意換気運転を開始する。そして、空調用リモコン（7）の運転スイッチをＯＦＦすると、空調機（5，6）の運転が停止すると同時に、全熱交換器ユニット（1）の運転が任意換気運転から強制換気運転に切り換わり、換気運転を続行する。
【０１１２】
このように、空調機（5，6）と連動して全熱交換器ユニット（1）を運転する。
【０１１３】
図７は、変形例２における強制換気運転時のフローチャートである。使用者が空調用リモコン（7）の運転スイッチをＯＦＦすると、上述したように強制換気運転が開始する。すると、図７のステップＳＴ１１において、空調機（5，6）の運転モードが冷房運転か否かを判定する。そして、冷房運転と判定すればステップＳＴ１２へ移り、冷房運転でなければ暖房運転と判定してステップＳＴ１３へ移る。このように、変形例１とは違い、空調用リモコン（7）における運転モードの設定状態で、屋外が夏期か冬期かを判定する。上記空調機（5，6）の運転モードが冷房であれば夏期と判定し、暖房であれば冬期と判定する。
【０１１４】
ステップＳＴ１２では、変形例１とは違い、上記給気温度センサ（3）の検出温度Ｔ１が空調機（5，6）の冷房設定温度よりも低いか否かを判定する。屋外の温度（Ｔ１）が冷房設定温度より低いときには、屋外の空気温度をできるだけ全熱交換器（22）で高くせずに、その空気を居室内に吹き出させた方がよい。したがって、この場合には、上記各ファン（20，21）を間欠運転させる。こうすると、上述したように全熱交換器（22）の温度交換効率が低くなるので、屋外の空気温度をできるだけ全熱交換器（22）で高くせずに、その空気を居室内に吹き出させることができる。
【０１１５】
逆に、屋外の温度（Ｔ１）が冷房設定温度以上のときには、屋外の空気温度をできるだけ全熱交換器（22）で低くしてから、その空気を居室内に吹き出させたほうがよい。したがって、この場合には、上記各ファン（20，21）を連続運転させる。こうすると、上述したように全熱交換器（22）の温度交換効率が高くなるので、屋外の空気温度をできるだけ全熱交換器（22）で低くした後で、その空気を居室内に吹き出させることができる。
【０１１６】
一方、ステップＳＴ１３では、上記給気温度センサ（3）の検出温度Ｔ１が空調機（5，6）の暖房設定温度よりも高いか否かを判定する。屋外の温度（Ｔ１）が暖房設定温度より高いときには、屋外の空気温度をできるだけ全熱交換器（22）で低くせずに、その空気を居室内に吹き出させた方がよい。したがって、この場合には、上記各ファン（20，21）を間欠運転させる。こうすると、上述したように全熱交換器（22）の温度交換効率が低くなるので、屋外の空気温度をできるだけ全熱交換器（22）で低くせずに、その空気を居室内に吹き出させることができる。
【０１１７】
逆に、屋外の温度（Ｔ１）が暖房設定温度以下のときには、屋外の空気温度をできるだけ全熱交換器（22）で高くしてから、その空気を居室内に吹き出させたほうがよい。したがって、この場合には、上記各ファン（20，21）を連続運転させる。こうすると、上述したように全熱交換器（22）の温度交換効率が高くなるので、屋外の空気温度をできるだけ全熱交換器（22）で高くした後で、その空気を居室内に吹き出させることができる。
【０１１８】
このように、強制換気運転において、屋外の温度（Ｔ１）と上記空調機（5，6）の設定温度とに基づいて、上記各ファン（20，21）を間欠的又は連続的に運転で行わせることにより、居室内に供給される空気の温度をコントロールすることができる。
【０１１９】
〈その他の実施形態〉
上記実施形態については、以下のような構成としてもよい。
【０１２０】
本実施形態では、換気装置が天井埋込みダクト形の全熱交換器ユニット（1）を構成している。本発明の換気装置は、上記全熱交換器ユニット（1）に限定されず、例えば、天井埋込のカセット形の全熱交換器ユニットであってもよい。尚、このカセット形の全熱交換器ユニットは、ケーシング（10）の底面に吹出口と吸込口とが設けられているものである。この場合、給気グリル（30）及び排気グリル（31）を設けることなく、居室内の換気を行うことができる。
【０１２１】
また、本実施形態では、上記給気ファン（20）と上記排気ファン（21）とは同時に間欠運転している。本発明は、これに限定されず、両方のファン（20，21）を異ならせて運転してもよい。この場合、上記給気ファン（20）の駆動時間の方が多ければ、居室内を正圧にすることができる。これにより、正圧にした居室と隣接する居室とが、がらり戸等で仕切られた場合において、隣接する居室の空気が正圧にした居室に流入しないようにすることができる。また、上記排気ファン（21）の駆動時間の方が多ければ、居室内を負圧にすることができる。これにより、負圧にした居室と隣接する居室とが、がらり戸等で仕切られた場合において、負圧にした居室の空気が隣接する居室に流入しないようにすることができる。
【０１２２】
なお、以上の実施形態は、本質的に好ましい例示であって、本発明、その適用物、あるいはその用途の範囲を制限することを意図するものではない。
【産業上の利用可能性】
【０１２３】
以上説明したように、本発明は、居室内を換気する換気装置について有用である。
【符号の説明】
【０１２４】
1     全熱交換器ユニット（換気装置）
2     制御コントローラ（制御手段）
3     給気温度センサ（給気側温度検知部）
4     排気温度センサ（排気側温度検知部）
10     ケーシング
20     給気ファン
21     排気ファン
22     全熱交換器
34     リモコン（操作部）
【手続補正２】
【補正対象書類名】特許請求の範囲
【補正対象項目名】全文
【補正方法】変更
【補正の内容】
【特許請求の範囲】
【請求項１】
屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置であって、
上記換気運転は、任意に換気を行うための任意換気運転と、該任意換気運転よりも少ない換気量で且つ所定の必要換気量以上の換気量で上記居室を強制換気する強制換気運転とを有する一方、
上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、
上記全熱交換器（22）の供給空気の入口温度Ｔ１を検知する給気側温度検知部（3）と、
上記全熱交換器（22）の排出空気の入口温度Ｔ２を検知する排気側温度検知部（4）とを備え、
上記両ファン（20，21）は風量可変に構成され、
上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、
上記制御部（2）は、上記給気側温度検知部（3）の検出値が所定値Ｔｓｅｔ以上であって給気側温度検知部（3）の検出値が排気側温度検知部（4）の検出値よりも小さい場合には第２動作に設定し、上記給気側温度検知部（3）の検出値が所定値Ｔｓｅｔ以上であって給気側温度検知部（3）の検出値が排気側温度検知部（4）の検出値以上の場合には第１動作に設定するように構成されている
ことを特徴とする換気装置。
【請求項２】
屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置であって、
上記換気運転は、任意に換気を行うための任意換気運転と、該任意換気運転よりも少ない換気量で且つ所定の必要換気量以上の換気量で上記居室を強制換気する強制換気運転とを有する一方、
上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、
上記全熱交換器（22）の供給空気の入口温度Ｔ１を検知する給気側温度検知部（3）と、
上記全熱交換器（22）の排出空気の入口温度Ｔ２を検知する排気側温度検知部（4）とを備え、
上記両ファン（20，21）は風量可変に構成され、
上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、
上記制御部（2）は、上記給気側温度検知部（3）の検出値が所定値Ｔｓｅｔよりも小さい場合であって給気側温度検知部（3）の検出値が排気側温度検知部（4）の検出値以下の場合には第１動作に設定し、上記給気側温度検知部（3）の検出値が所定値Ｔｓｅｔよりも小さい場合であって給気側温度検知部（3）の検出値が排気側温度検知部（4）の検出値より大きい場合には第２動作に設定するように構成されている
ことを特徴とする換気装置。
【請求項３】
屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置であって、
上記換気運転は、任意に換気を行うための任意換気運転と、該任意換気運転よりも少ない換気量で且つ所定の必要換気量以上の換気量で上記居室を強制換気する強制換気運転とを有する一方、
上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、
上記全熱交換器（22）の供給空気の入口温度Ｔ１を検知する給気側温度検知部（3）と、
上記居室内の温度が冷房設定温度となるように居室内を冷房する冷房機構（5）とを備え、
上記両ファン（20，21）は風量可変に構成され、
上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、
上記制御部（2）は、上記給気側温度検知部（3）で検知した供給空気の入口温度Ｔ１が上記冷房設定温度以上の場合には第１動作に設定し、上記供給空気の入口温度Ｔ１が上記冷房設定温度よりも小さい場合には第２動作に設定するように構成されている
ことを特徴とする換気装置。
【請求項４】
屋外の空気を供給空気として居室内に供給する給気ファン（20）と、居室内の空気を排出空気として屋外に排出する排気ファン（21）と、上記供給空気が流れる給気流路及び上記排出空気が流れる排気流路を有する全熱交換器（22）とを備え、上記居室内の空気を換気する換気運転を行う換気装置であって、
上記換気運転は、任意に換気を行うための任意換気運転と、該任意換気運転よりも少ない換気量で且つ所定の必要換気量以上の換気量で上記居室を強制換気する強制換気運転とを有する一方、
上記任意換気運転を停止する停止信号を受けると、上記任意換気運転を終了させて上記強制換気運転を開始させ、上記任意換気運転を開始する開始信号を受けると、上記強制換気運転を終了させて上記任意換気運転を開始させる制御部（2）と、
上記全熱交換器（22）の供給空気の入口温度Ｔ１を検知する給気側温度検知部（3）と、
上記居室内の温度が暖房設定温度となるように居室内を暖房する暖房機構（6）とを備え、
上記両ファン（20，21）は風量可変に構成され、
上記制御部（2）は、上記強制換気運転時に上記両ファン（20，21）を間欠的に動作させる間欠制御が可能に構成され、上記両ファン（20，21）を連続的に動作させる第１動作と、該第１動作時による単位時間あたりの換気量と実質的に等しくなるように第１動作時よりも速いファン回転速度で上記両ファン（20，21）を間欠的に動作させる第２動作とに切換可能に構成されて強制換気運転を実行するように構成されると共に、
上記制御部（2）は、上記給気側温度検知部（3）で検知した供給空気の入口温度Ｔ１が上記暖房設定温度以下の場合には第１動作に設定し、上記供給空気の入口温度Ｔ１が上記暖房設定温度より大きい場合には第２動作に設定するように構成されている
ことを特徴とする換気装置。
【請求項５】
請求項１から４の何れか１つにおいて、
上記制御部（2）は、上記強制換気運転時における各ファン（20，21）の間欠運転時間に占める駆動時間及び停止時間の割合が変更可能に構成されている
ことを特徴とする換気装置。
【請求項６】
請求項３において、
上記冷房機構（5）の運転が停止すると上記冷房機構（5）から上記制御部（2）へ停止信号が出力され、上記冷房機構（5）の運転が開始すると上記冷房機構（5）から上記制御部（2）へ開始信号が出力されるように、上記冷房機構（5）と上記制御部（2）とが電気的に接続されている
ことを特徴とする換気装置。
【請求項７】
請求項４において、
上記暖房機構（6）の運転が停止すると上記暖房機構（6）から上記制御部（2）へ停止信号が出力され、上記暖房機構（6）の運転が開始すると上記暖房機構（6）から上記制御部（2）へ開始信号が出力されるように、上記暖房機構（6）と上記制御部（2）とが電気的に接続されている
ことを特徴とする換気装置。
【請求項８】
請求項１から７の何れか１つにおいて、
使用者が操作する操作部（34）を備え、
上記操作部（34）から上記制御部（2）に向かって上記停止信号及び上記開始信号が出力されるように、上記操作部（34）と上記制御部（2）とが電気的に接続されている
ことを特徴とする換気装置。